【事件の表示】
　平成１０年特許願第　８０９８２号「画像形成装置」拒絶査定不服審判事件〔平成１１年　４月２３日出願公開、特開平１１−１１２７９１〕について、次のとおり審決する。
【結　論】
　本件審判の請求は、成り立たない。
【理　由】
第１　手続きの経緯
　本願は、平成１０年３月２７日の出願であって、平成１７年６月１３日に拒絶査定がされ、これに対して平成１７年７月２１日に拒絶査定不服審判が請求されるとともに、同年８月２２日に手続補正がなされたものである。
　
第２　平成１７年８月２２日付けの手続補正の却下について
　１　補正却下の決定の結論
　平成１７年８月２２日付けの手続補正を却下する。
　
　２　理由
　（１）　補正後の本願発明
　本件補正により、特許請求の範囲は次のとおり補正された。（以下、「補正発明」という。）
　「【特許請求の範囲】
【請求項１】　読み取り位置に配置した原稿画像を光学的に走査して画像データを読み取る画像読取手段と、前記画像読取手段で入力された前記画像データに画像処理を施す画像処理手段と、前記画像処理手段で画像処理を施した前記画像データに基づいて転写材上に画像を形成する画像形成手段と、を有する画像形成装置において、
　前記原稿画像の中の任意の画像領域を特定領域として設定する特定領域設定手段を備え、
　前記画像処理手段は、前記特定領域設定手段で設定された前記特定領域に対応する前記画像データに対して、前記原稿画像の種別である画質モードごとに予め設定された、画像分離結果、色補正係数のタイプ、空間フィルタ係数、ＹＭＣＫ階調補正テーブル、階調処理のいずれかを含む画像処理パラメータの値に対応した画像処理を施した複数のモニタ画像データを生成し、
　前記画像形成手段は、前記画像処理手段で生成された複数の前記モニタ画像データを同一転写材上の異なる位置に配置して、同一転写材上に複数のモニタ画像を形成することを特徴とする画像形成装置。
【請求項２】　さらに、前記同一転写材上に形成された複数の前記モニタ画像の中から所望のモニタ画像を選択することにより前記モニタ画像に対応する前記画質モードを設定する画質モード設定手段を備えたことを特徴とする請求項１に記載の画像形成装置。
【請求項３】　さらに、複数の前記画質モードの中からモニタ画像の生成に使用する複数の前記画質モードを予め指定する指定手段を備え、
　前記画像処理手段は，前記指定手段で指定された前記画質モードを用いて画像処理を施し、複数の前記モニタ画像データを生成することを特徴とする請求項１または２のいずれか一つに記載の画像形成装置。
【請求項４】　前記画像処理手段は、前記モニタ画像データと共に、各モニタ画像データがそれぞれどの前記画質モードに対応するかを示すモード特定情報を生成することを特徴とする請求項１〜３のいずれか一つに記載の画像形成装置。
【請求項５】　前記特定領域設定手段は、さらに前記転写材に前記特定領域に基づいて形成される複数のモニタ画像が収まるような設定のみを可能とすることを特徴とする請求項１〜４のいずれか一つに記載の画像形成装置。
【請求項６】　さらに、前記転写材上に形成される複数の前記モニタ画像の配置を指定または変更するモニタ画像配置指定手段を備えたことを特徴とする請求項１〜５のいずれか一つに記載の画像形成装置。
【請求項７】　さらに、前記モニタ画像の変倍を指定するモニタ画像変倍手段を備えたことを特徴とする請求項１〜６のいずれか一つに記載の画像形成装置。
【請求項８】　読み取り位置に配置した原稿画像を光学的に走査して画像データを読み取る画像読取手段と、前記画像読取手段で入力された前記画像データに画像処理を施す画像処理手段と、前記画像処理手段で画像処理を施した前記画像データに基づいて転写材上に画像を形成する画像形成手段と、を有する画像形成装置において、
　予め前記画像読取手段で読み取る原稿種に応じた、画像分離結果、色補正係数のタイプ、空間フィルタ係数、ＹＭＣＫ階調補正テーブル、階調処理のいずれかを含む画像処理パラメータに対する値が予め設定された画質モードの中から所望の画質モードを選択するための画質モード選択手段を備え、
　前記画質モード選択手段は、前記画質モードの中から所望の画質モードを選択する際に、同一の原稿種の画質モードにおいて複数の画像処理パラメータの設定値の組の中から所望の前記画像処理パラメータの設定値の組を選択し、
　前記画像処理手段は、前記画質モード選択手段で選択された前記画像処理パラメータの設定値の組に基づいて画像データの補正処理を施すことを特徴とする画像形成装置。
【請求項９】　前記同一の原稿種の画質モードにおいて選択可能な複数の画像処理パラメータの組は、前記原稿種を形成するプリンタのメーカーまたは複写機のメーカー、もしくはプリンタの機種または複写機の機種に対応した設定であることを特徴とする請求項８に記載の画像形成装置。
【請求項１０】　前記同一の原稿種の画質モードにおいて選択可能な複数の画像処理パラメータの組は、前記原稿種の解像度または色材の色味などに対応した設定であることを特徴とする請求項８または９に記載の画像形成装置。
【請求項１１】　前記同一の原稿種の画質モードとは、印画紙、インクジェット、トナーを使用したプリンタの出力または複写物、印刷、熱転写原稿、地図のいずれかであることを特徴とする請求項８〜１０のいずれか一つに記載の画像形成装置。
【請求項１２】　読み取り位置に配置した原稿画像を光学的に走査して画像データを読み取る画像読取手段と、前記画像読取手段で入力された前記画像データに画像処理を施す画像処理手段と、前記画像処理手段で画像処理を施された前記画像データに基づいて転写材上に画像を形成する画像形成手段と、を有する画像形成装置において、
　前記原稿画像の中の画像領域に指定された画質モードに対応する階調変換テーブルを用いて、前記画像領域に対応する前記画像データの階調変換を行い、階調変換の結果を前記画像領域に対応するメモリ領域に記憶する第１の階調変換手段と、
　前記画像データにおいて階調変換していない前記画像領域に指定された画質モードに対応する階調変換テーブルを用いて、前記画像領域に対応する前記画像データの階調変換を行い、階調変換の結果を前記画像領域に対応するメモリ領域に記憶する第２の階調変換手段と、を備え、
　前記第１の階調変換手段は、さらに前記画像データにおいて階調変換していない前記画像領域が存在する場合には、前記画像データにおいて階調変換していない前記画像領域に指定された前記画質モードに対応する階調変換テーブルを用いて、前記画像データの階調変換を行い、階調変換の結果を前記画像領域に対応するメモリ領域に記憶し、
　前記第２の階調変換手段は、さらに前記画像データにおいて階調変換していない前記画像領域が存在する場合には、前記画像データにおいて階調変換していない前記画像領域に指定された前記画質モードに対応する階調変換テーブルを用いて、前記画像データの階調変換を行い、階調変換の結果を前記画像領域に対応するメモリ領域に記憶すること、
　を特徴とする画像形成装置。
【請求項１３】　前記第１の階調変換手段は、さらに前記階調変換テーブルを、階調変換を行わない無変換用階調変換テーブルまたは階調変換を行う変換用階調変換テーブルを切り替えることを特徴とする請求項１２に記載の画像形成装置。
【請求項１４】　前記階調変換テーブルは、印画紙原稿、蛍光ペンを使用した原稿、および熱転写で印字された原稿のいずれかの原稿に対応した画質モードを備えていることを特徴とする請求項１２または１３に記載の画像形成装置。
【請求項１５】　前記階調変換テーブルは、濃度を変換するモードを備えていることを特徴とする請求項１２〜１４のいずれか一つに記載の画像形成装置。」
　
　（２）　補正前の本願発明
　本件補正前である拒絶査定時の特許請求の範囲（平成１６年１０月１８日付け手続補正書）に記載された発明（以下、「補正前発明」という。）は、次のとおりである。
　「【特許請求の範囲】
【請求項１】　読み取り位置に配置した原稿画像を光学的に走査して画像データを読み取る画像読取手段と、前記画像読取手段で入力された前記画像データに画像処理を施す画像処理手段と、前記画像処理手段で画像処理を施した前記画像データに基づいて転写材上に画像を形成する画像形成手段と、を有する画像形成装置において、
　前記原稿画像の中の任意の画像領域を特定領域として設定する特定領域設定手段を備え、
　前記画像処理手段は、前記特定領域設定手段で設定された前記特定領域に対応する前記画像データに対してそれぞれ異なる画像処理パラメータが設定された画質モードに対応した階調変換テーブルに基づいて画像処理を施した複数のモニタ画像データを生成し、
　前記画像形成手段は、前記画像処理手段で生成された複数の前記モニタ画像データを同一転写材上の異なる位置に配置して、同一転写材上に複数のモニタ画像を形成することを特徴とする画像形成装置。
【請求項２】　さらに、前記同一転写材上に形成された複数の前記モニタ画像の中から所望のモニタ画像を選択することにより前記モニタ画像に対応する前記画質モードを設定する画質モード設定手段を備えたことを特徴とする請求項１に記載の画像形成装置。
【請求項３】　さらに、複数の前記画質モードの中からモニタ画像の生成に使用する複数の前記画質モードを予め指定する指定手段を備え、
　前記画像処理手段は，前記指定手段で指定された前記画質モードを用いて画像処理を施し、複数の前記モニタ画像データを生成することを特徴とする請求項１または２のいずれか一つに記載の画像形成装置。
【請求項４】　前記画像処理手段は、前記モニタ画像データと共に、各モニタ画像データがそれぞれどの前記画質モードに対応するかを示すモード特定情報を生成することを特徴とする請求項１〜３のいずれか一つに記載の画像形成装置。
【請求項５】　前記特定領域設定手段は、さらに前記転写材に前記特定領域に基づいて形成される複数のモニタ画像が収まるような設定のみを可能とすることを特徴とする請求項１〜４のいずれか一つに記載の画像形成装置。
【請求項６】　さらに、前記転写材上に形成される複数の前記モニタ画像の配置を指定または変更するモニタ画像配置指定手段を備えたことを特徴とする請求項１〜５のいずれか一つに記載の画像形成装置。
【請求項７】　さらに、前記モニタ画像の変倍を指定するモニタ画像変倍手段を備えたことを特徴とする請求項１〜６のいずれか一つに記載の画像形成装置。
【請求項８】　読み取り位置に配置した原稿画像を光学的に走査して画像データを読み取る画像読取手段と、前記画像読取手段で入力された前記画像データに画像処理を施す画像処理手段と、前記画像処理手段で画像処理を施した前記画像データに基づいて転写材上に画像を形成する画像形成手段と、を有する画像形成装置において、
　予め前記画像読取手段で読み取る原稿種に応じた画像処理パラメータが設定された画質モードの中から所望の画質モードを選択するための画質モード選択手段を備え、
　前記画質モード選択手段は、前記画質モードの中から所望の画質モードを選択する際に、同一の原稿種の画質モードにおいて複数の画像処理パラメータの組の中から所望の前記画像処理パラメータの組を選択し、
　前記画像処理手段は、前記画質モード選択手段で選択された前記画像処理パラメータの組に基づいて画像データの補正処理を施すことを特徴とする画像形成装置。
【請求項９】　前記同一の原稿種の画質モードにおいて選択可能な複数の画像処理パラメータの組は、前記原稿種を形成するプリンタのメーカーまたは複写機のメーカー、もしくはプリンタの機種または複写機の機種に対応した設定であることを特徴とする請求項８に記載の画像形成装置。
【請求項１０】　前記同一の原稿種の画質モードにおいて選択可能な複数の画像処理パラメータの組は、前記原稿種の解像度または色材の色味などに対応した設定であることを特徴とする請求項８または９に記載の画像形成装置。
【請求項１１】　前記同一の原稿種の画質モードとは、印画紙、インクジェット、トナーを使用したプリンタの出力または複写物、印刷、熱転写原稿、地図のいずれかであることを特徴とする請求項８〜１０のいずれか一つに記載の画像形成装置。
【請求項１２】　前記同一の原稿種の画質モードに対して設定された画像処理パラメータは、空間フィルタ、階調変換テーブル、ディザ、色変換係数および文字と写真の判定基準のいずれかを含むことを特徴とする請求項８〜１１のいずれか一つに記載の画像形成装置。
【請求項１３】　読み取り位置に配置した原稿画像を光学的に走査して画像データを読み取る画像読取手段と、前記画像読取手段で入力された前記画像データに画像処理を施す画像処理手段と、前記画像処理手段で画像処理を施された前記画像データに基づいて転写材上に画像を形成する画像形成手段と、を有する画像形成装置において、
　前記原稿画像の中の画像領域に指定された画質モードに対応する階調変換テーブルを用いて、前記画像領域に対応する前記画像データの階調変換を行い、階調変換の結果を前記画像領域に対応するメモリ領域に記憶する第１の階調変換手段と、
　前記画像データにおいて階調変換していない前記画像領域に指定された画質モードに対応する階調変換テーブルを用いて、前記画像領域に対応する前記画像データの階調変換を行い、階調変換の結果を前記画像領域に対応するメモリ領域に記憶する第２の階調変換手段と、を備え、
　前記第１の階調変換手段は、さらに前記画像データにおいて階調変換していない前記画像領域が存在する場合には、前記画像データにおいて階調変換していない前記画像領域に指定された前記画質モードに対応する階調変換テーブルを用いて、前記画像データの階調変換を行い、階調変換の結果を前記画像領域に対応するメモリ領域に記憶し、
　前記第２の階調変換手段は、さらに前記画像データにおいて階調変換していない前記画像領域が存在する場合には、前記画像データにおいて階調変換していない前記画像領域に指定された前記画質モードに対応する階調変換テーブルを用いて、前記画像データの階調変換を行い、階調変換の結果を前記画像領域に対応するメモリ領域に記憶すること、
　を特徴とする画像形成装置。
【請求項１４】　前記第１の階調変換手段は、さらに前記階調変換テーブルを、階調変換を行わない無変換用階調変換テーブルまたは階調変換を行う変換用階調変換テーブルを切り替えることを特徴とする請求項１３に記載の画像形成装置。
【請求項１５】　前記階調変換テーブルは、印画紙原稿、蛍光ペンを使用した原稿、および熱転写で印字された原稿のいずれかの原稿に対応した画質モードを備えていることを特徴とする請求項１３または１４に記載の画像形成装置。
【請求項１６】　前記階調変換テーブルは、濃度を変換するモードを備えていることを特徴とする請求項１３〜１５のいずれか一つに記載の画像形成装置。」
　
（３）　補正の適否
　本件補正は、独立請求項１及び請求項１を引用する従属項である請求項２ないし７、独立請求項８及び請求項８を引用する従属項である請求項９ないし１２、独立請求項１３及び請求項１３を引用する従属項である請求項１４ないし１６で構成された補正前発明に対し、補正前発明の請求項１２を削除し、補正前発明の請求項１３ないし１６に記載された発明を新たな請求項１２ないし１５に係る発明とし、補正前発明の独立請求項である請求項１及び８に記載された発明の内容をそれぞれ補正して新たな請求項１及び８に係る発明としたものである。
　そこで、補正発明の請求項１に係る発明についての補正を検討すると、当該補正は、補正前発明の請求項１に係る発明を特定するために必要な、「前記画像処理手段は、前記特定領域設定手段で設定された前記特定領域に対応する前記画像データに対してそれぞれ異なる画像処理パラメータが設定された画質モードに対応した階調変換テーブルに基づいて画像処理を施した複数のモニタ画像データを生成し、」との事項を、「前記画像処理手段は、前記特定領域設定手段で設定された前記特定領域に対応する前記画像データに対して、前記原稿画像の種別である画質モードごとに予め設定された、画像分離結果、色補正係数のタイプ、空間フィルタ係数、ＹＭＣＫ階調補正テーブル、階調処理のいずれかを含む画像処理パラメータの値に対応した画像処理を施した複数のモニタ画像データを生成し、」と補正したものであり、補正前発明の請求項１に係る発明における、複数のモニタ画像データが「階調変換テーブルに基づいて画像処理を施した」ものであるとの事項を省く補正であり、補正前発明を特定するために必要な事項をさらに限定したものでないから、平成１８年改正前特許法１７条の２第４項２号に規定する特許請求の範囲の減縮に該当する補正とはいえない。
　また、当該補正が、請求項の削除、誤記の訂正、又は明りょうでない記載の釈明のいずれを目的としたものではないことは明らかである。
　したがって、本件補正は、平成１８年改正前特許法１７条の２第４項の規定に違反するものであり、同法１５９条１項で準用する同法５３条１項の規定により却下すべきものである。
　
第３　本願発明について
　１　平成１７年８月２２日付の手続補正は上記のとおり却下されたので、本願の請求項１に係る発明（以下、「本願発明」という。）は、平成１６年１０月１８日付けで補正された特許請求の範囲の請求項１に記載された以下のとおりのものである。
　「【請求項１】　読み取り位置に配置した原稿画像を光学的に走査して画像データを読み取る画像読取手段と、前記画像読取手段で入力された前記画像データに画像処理を施す画像処理手段と、前記画像処理手段で画像処理を施した前記画像データに基づいて転写材上に画像を形成する画像形成手段と、を有する画像形成装置において、
　前記原稿画像の中の任意の画像領域を特定領域として設定する特定領域設定手段を備え、
　前記画像処理手段は、前記特定領域設定手段で設定された前記特定領域に対応する前記画像データに対してそれぞれ異なる画像処理パラメータが設定された画質モードに対応した階調変換テーブルに基づいて画像処理を施した複数のモニタ画像データを生成し、
　前記画像形成手段は、前記画像処理手段で生成された複数の前記モニタ画像データを同一転写材上の異なる位置に配置して、同一転写材上に複数のモニタ画像を形成することを特徴とする画像形成装置。」
　
　２　引用例
　原査定の拒絶の理由で引用された特開平６−３３４８５４号公報（以下、「引用例１」という。）には次の事項が図面と共に開示されている。（引用箇所は段落番号等で表示）
　ア　「【請求項１】原稿の特定部分に対応した複数のモニタ画像を、それぞれの色調が互いに異なるように色補正を施して同一の用紙上の異なる位置に形成するモニタコピー機能を有したカラー複写機において、
前記特定部分の色調に適した色補正の度合いを指定するための操作手段と、
前記操作手段よって指定された度合いの色補正を行う色補正手段と、
を有してなることを特徴とするカラー複写機。」
　イ　「【００１３】【実施例】図１は本発明に係る複写機１の構成を示す正面図である。複写機１は、モノカラー及びフルカラーの複写が可能なデジタル式カラー複写機であり、最大読取りサイズがＡ３サイズ（２９７ｍｍ×４２０ｍｍ）のイメージリーダ部ＩＲと、最大複写サイズがＡ３サイズのプリンタ部ＰＲとから構成されている。
【００１４】イメージリーダ部ＩＲは、原稿台ガラス３１上に載置される原稿Ｄをスキャナ３２によって走査し、ＣＣＤからなる１次元のイメージセンサ３８によって原稿画像を３色（Ｒ，Ｇ，Ｂ）に色分解して読み取る。画像処理部１２０において、イメージセンサ３８から出力される各色の光電変換信号に基づいて、潜像形成のための露光制御信号となる画像データ（印字データ）を生成し、その画像データをプリンタ部ＰＲのプリントヘッド制御部１３０へ送出する。なお、スキャナ３２はパルスモータ３５によって駆動される。」
　ウ　「【００７０】そこで、複写機１では、カラーバランスの異なる複数のモニタ画像をカラー調整のサンプルとしてプリントする画質モニタコピーモードが設けられている。そして、特に画質モニタコピーモードの実用性を高めるために、各モニタ画像を生成するための色補正の度合いについて、原稿の色調に応じた３段階の切換えが可能とされている。
【００７１】なお、画質モニタコピーモードによるモニタ画像には、カラー調整の以前に行われた他の画質調整、例えば濃度調整やシャープネス調整などの結果が反映される。
【００７２】本実施例の画質モニタコピーモードにおいては、上述のイメージリピート複写と副走査方向の複数画像複写とを組み合わせた形の複写動作によって、図１０に配列形態を示すように、上下２列に分けて各列４つずつ計８つのモニタ画像ＧＭ１〜８が１枚の用紙Ｐ上にプリントされる。
【００７３】各モニタ画像ＧＭ１〜８は、図形内容の上では、原稿の同一部分（例えば２ｃｍ角の大きさの領域）をトリミングして等倍複写した画像である。トリミングの対象領域はオペレータによって指定される。なお、その指定操作については後述する。
【００７４】モニタ画像ＧＭ１は、上述の（１）式及び（２）式の演算により生成された４色（Ｙ，Ｍ，Ｃ，Ｋ）の画像データを、色補正を施すことなくそのまま用いてプリントしたものである。すなわち、モニタ画像ＧＭ１はカラーバランスのデフォルト値を示す無補正の画像である。
【００７５】モニタ画像ＧＭ２は、４色（Ｙ，Ｍ，Ｃ，Ｋ）の内のＹのみについて補正を施した画像である。すなわち、モニタ画像ＧＭ２はＹ成分の濃度を変化させた画像である。
【００７６】モニタ画像ＧＭ３はＭのみについて補正を施した画像である。モニタ画像ＧＭ４はＣのみについて補正を施した画像である。モニタ画像ＧＭ５はＫのみについて補正を施した画像である。
【００７７】また、モニタ画像ＧＭ６は、Ｙ及びＭについて補正を施してＲ成分の濃度を変化させた画像である。モニタ画像ＧＭ７は、Ｙ及びＣについて補正を施してＧ成分の濃度を変化させた画像である。モニタ画像ＧＭ８は、Ｍ及びＣについて補正を施してＢ成分の濃度を変化させた画像である。
【００７８】ないし【００８３】（省略）
【００８４】次に、モニタ画像ＧＭ１〜８のカラーバランスの設定方法について説明する。図１１は図５の色補正演算部１２７の構成を示すブロック図である。色補正演算部１２７は、モニタ画像ＧＭ１〜８に対応した８つの補正係数ａ１〜８を制御信号Ｓ２７１に従ってラッチするラッチ回路２７１、選択信号Ｓ２７２に従って補正係数ａ１〜８の内の１つを選択するセレクタ２７２、色変換部１２５から入力された画像データとセレクタ２７２によって選択された補正係数とを乗じる乗算器２７３、及びＣＰＵ１０２などから入力される信号Ｓ２７４ａ，Ｓ２７４ｂに基づいて選択信号Ｓ２７２を生成する選択信号発生回路２７４から構成されている。」
　エ　「【０１０６】以下、画質モニタコピーモードによるカラー調整の操作手順について簡単に説明する。図１４〜図１７は画質モニタコピーモードに関係する操作のための表示画面を示す図である。
【０１０７】複写機１が操作を待つ待機状態において、オペレータが画質メニューキー７６をオンすると、操作パネル７０のＬＣＤ８７の表示画面として図１４に示す画質調整メニュー画面Ｑ１が表示される。
【０１０８】画質調整メニュー画面Ｑ１では、各種の画質調整モードを示す文字列からなる選択肢Ｚ１〜８、選択状態を示すＣＵ、及び選択操作のためのキーを示す画像Ｚ１０などが表示される。
【０１０９】オペレータは、画像Ｚ１０が示すカーソルキー８０ａ〜ｄを適当に用いて、図のようにモニタコピーモードに対応する選択肢Ｚ１を選択し、その状態でエンターキー７８をオンする。そうすると、ＬＣＤ８７の表示内容は、画質調整メニュー画面Ｑ１から図１５に示す色補正の度合い設定画面Ｑ２に切り換わる。
【０１１０】色補正の度合い設定画面Ｑ２では、メッセージ文Ｚ２０、上述のマニュアルモードに対応した３つの選択肢Ｚ２１〜２３、オートモードに対応した選択肢Ｚ２４、及び選択操作のためのキーを示す画像Ｚ２５などが表示され、各選択肢Ｚ２１〜２４の選択状態は選択肢上のハッチングによって示される。図１５の例では選択肢Ｚ２２が選択されている。
【０１１１】オペレータは、画像Ｚ２５が示すカーソルキー８０ａ，ｂを用いて選択肢Ｚ２１〜２４のいずれか１つを選択してエンターキー７８をオンする。そのとき、カーソルキー８０ａをオンする毎に、ハッチングはオン以前の選択肢からその１つ右側の選択肢へ移動し、カーソルキー８０ｂをオンする毎に左側の選択肢へ移動する。
【０１１２】ここで、オペレータは、原稿の内でモニタ画像として抽出したい注目部分（すなわちトリミング領域）が淡色であれば、選択肢Ｚ２１を選択すればよい。その場合には、色補正の度合いとして「小」の度合いが設定される。トリミング領域が標準的な色調の領域であれば、選択肢Ｚ２２を選択すればよい。その場合には、色補正の度合いとして「標準」の度合いが設定される。トリミング領域が濃色であれば、選択肢Ｚ２３を選択すればよい。その場合には、色補正の度合いとして「大」の度合いが設定される。
【０１１３】また、度合いの自動設定を望む場合には選択肢Ｚ２４を選択すればよい。その場合には、上述のように色判別結果に基づいてＣＰＵ１０２がトリミング領域に適した度合いを選択して設定する。色補正の度合い設定画面Ｑ２の表示状態でオペレータがエンターキー７８をオンすると、ＬＣＤ８７の表示内容は、画面Ｑ２から図１６に示すトリミング指定画面Ｑ３に切り換わる。トリミング指定画面Ｑ３では、操作手順を示すメッセージ文Ｚ３０、及び操作内容を示すアイコンＺ３１，３２などが表示される。
【０１１４】オペレータは、画面Ｑ３の表示内容に従って、まず、エディタ９０を用いてトリミング領域を指定する。すなわち、原稿を座標入力エリアＥ３上に載置し、原稿におけるカラー調整の上で注目する部分の中央付近の位置に操作ペン９８の先端を押し当てる。これにより、入力された位置を中心とする所定の大きさの領域が自動的にトリミング領域として設定される。トリミング領域の位置をさほど厳密に指定する必要がない場合は、原稿を載置して位置を確認することなく適当な位置を入力すればよい。」
　
　上記アないしエの記載によると、引用例１には、「スキャナ３２と、画像処理部１２０と、プリンタ部ＰＲとを有するカラー複写機において、オペレータが原稿の内でモニタ画像として抽出したいトリミング領域を指定するエディタ９０を備え、色補正演算部１２７は、原稿のトリミング領域に対応した複数のモニタ画像を、それぞれの色調が互いに異なるように色補正を施して同一の用紙上の異なる位置に形成するモニタコピー機能を有したカラー複写機。」の発明（以下、「引用発明」という。）が記載されていると認められる。
　
　同じく、原査定の拒絶の理由で引用された特開平６−８６０６８号公報（以下、「引用例２」という。）には次の事項が図面と共に開示されている。（引用箇所は段落番号で表示）
　オ　「【０００７】【実施例】本発明の一実施例を図を参照して説明する。本実施例の画像処理装置は、原稿画像を読み取って画像処理し、プリンタユニットによって印刷する機能を有している。図１に示す本実施例の画像処理装置は、まず原稿画像の読み取り手段であるイメージセンサとしてのＣＣＤユニット１を備えている。ＣＣＤユニット１は複数ビットからなる画像データ１０を出力する。画像データ１０のビット数はＣＣＤユニット１の階調数によって定まる。
【０００８】２はγ補正回路であり、前記ＣＣＤユニット１から入力された画像データ１０の階調を印刷全体の印字特性に適合させるためのγ補正を行なう補正回路である。前記画像データ１０は、このγ補正回路２においてγ補正データで補正され、複数ビットの画像データ１１として出力される。なお、本実施例のγ補正回路２によれば、γ補正データは図２においてγカーブβ１〜β４によって示すように何種類か用意されており、図５に示すようにアドレスβαを付したγ補正テーブルを構成している。
【０００９】前記γ補正回路２が出力する補正済みの複数ビットの画像データ１１は、２値化回路３に入力され、白黒の２値データ１２に変換されて画像形成手段としてのプリンタユニット４に出力される。プリンタユニット４はこの２値データ１２に応じて原稿の画像を印刷する。
【００１０】５は、原稿上の特定の位置又は領域を指定する位置指定手段であるディジタイザ等のポインティングデバイスである。このポインティングデバイス５によって原稿内のある領域が指定されると、その位置情報が一致検出回路６に入力される。この時、後述する画質セレクトスイッチ回路７にて選択された画像濃度を示すγ補正データを指定するための濃度セレクト情報と対として入力される。
【００１１】前記２値化回路３のなかにはタイミング発生回路８がある。このタイミング発生回路８は、前記ＣＣＤユニット１が現在読み込んでいる所を示す位置情報１５を出力する。
【００１２】一致検出回路６には、位置情報と画像濃度情報とからなるポインティング情報１３とＣＣＤ１で現在読み取られている位置情報１５が入力される。一致検出回路６は両情報１３，１５を比較し、一致した場合には前記γ補正回路２に一致信号１４を出力する。
【００１３】画質セレクトスイッチ回路７は、前記γ補正回路２において、使用されるγ補正データを切り換えるため濃度セレクト情報１６を出力する。本実施例におけるこの濃度セレクト情報１６は、図５に示したγ補正テーブル上の所望のアドレスを指定する情報となっている。この画質セレクトスイッチ回路７は、ポインティングデバイス５によって指定される領域毎の濃度セレクト情報をセットすることができる。
【００１４】例えば、図３（ａ）の様に薄い画質のコップの画像を同図（ｂ）の様に濃い画質で印字したい場合には、図２のγカーブβ１から、β２又はβ３，β４といった濃い画質の出力が得られるγ補正カーブに切り換えればよい。このγ補正データの切り換えは、一致信号１４がγ補正回路２に入力され、一致信号として出力される濃度セレクト情報によって選択される所望のγ補正データが指定されたときに行われる。」
　
　３　対比
　本願発明と引用発明とを対比する。
　引用発明の「スキャナ３２」、「画像処理部１２０」及び「プリンタ部ＰＲ」は、本願発明の「読み取り位置に配置した原稿画像を光学的に走査して画像データを読み取る画像読取手段」、「画像読取手段で入力された画像データに画像処理を施す画像処理手段」及び「画像処理手段で画像処理を施した画像データに基づいて転写材上に画像を形成する画像形成手段」に相当し、カラー複写機は画像を形成して出力するものであるから、引用発明の「カラー複写機」は、本願発明と同じ「読み取り位置に配置した原稿画像を光学的に走査して画像データを読み取る画像読取手段と、前記画像読取手段で入力された前記画像データに画像処理を施す画像処理手段と、前記画像処理手段で画像処理を施した前記画像データに基づいて転写材上に画像を形成する画像形成手段と、を有する画像形成装置」に関するものであるといえる。
　引用発明の「原稿の内でモニタ画像として抽出したいトリミング領域」は本願発明の「特定領域」に相当し、引用発明の「オペレータが原稿の内でモニタ画像として抽出したいトリミング領域を指定するエディタ９０」は、「原稿画像の中の任意の画像領域を特定領域として設定する特定領域設定手段」といえる。
　引用発明の「色補正演算部１２７は、原稿のトリミング領域に対応した複数のモニタ画像を、それぞれの色調が互いに異なるように色補正を施して同一の用紙上の異なる位置に形成する」ものであり、「画像処理部１２０」の構成要素として図５に示された「色補正演算部１２７」は画像処理手段といえ、さらに、モニタ画像の形成が「プリンタ部ＰＲ」により行われること、及び、それぞれの色調が互いに異なるように施す色補正が、それぞれ異なる画像処理パラメータに基づく画像処理であることは、いずれも当業者にとって明らかな事項であるから、引用発明において、「画像処理手段は、特定領域設定手段で設定された特定領域に対応する画像データに対してそれぞれ異なる画像処理パラメータ」「に基づいて画像処理を施した複数のモニタ画像データを生成し、画像形成手段は、画像処理手段で生成された複数の前記モニタ画像データを同一転写材上の異なる位置に配置して、同一転写材上に複数のモニタ画像を形成する」といえる。
　
　以上を踏まえると、両者の一致点及び相違点は以下のとおりである。
【一致点】
　読み取り位置に配置した原稿画像を光学的に走査して画像データを読み取る画像読取手段と、前記画像読取手段で入力された前記画像データに画像処理を施す画像処理手段と、前記画像処理手段で画像処理を施した前記画像データに基づいて転写材上に画像を形成する画像形成手段と、を有する画像形成装置において、
　前記原稿画像の中の任意の画像領域を特定領域として設定する特定領域設定手段を備え、
　前記画像処理手段は、前記特定領域設定手段で設定された前記特定領域に対応する前記画像データに対してそれぞれ異なる画像処理パラメータに基づいて画像処理を施した複数のモニタ画像データを生成し、
　前記画像形成手段は、前記画像処理手段で生成された複数の前記モニタ画像データを同一転写材上の異なる位置に配置して、同一転写材上に複数のモニタ画像を形成する画像形成装置。
【相違点】
　本願発明の画像処理手段は、特定領域設定手段で設定された特定領域に対応する画像データに対して「それぞれ異なる画像処理パラメータが設定された画質モードに対応した階調変換テーブル」に基づいて画像処理を施した複数のモニタ画像データを生成するのに対し、引用発明の色補正演算部１２７は、「それぞれ異なる画像処理パラメータが設定された画質モードに対応した階調変換テーブル」を用いずに、単にそれぞれ異なる画像処理パラメータに基づいて画像処理を施した複数のモニタ画像データを生成する点。
　
　４　当審の判断
　上記相違点について検討する。
　引用例２には、ＣＣＤユニット１から入力された画像データ１０に対して、濃度セレクト情報１６により、何種類か用意されているγ補正データを切り換えて補正処理を行う画像処理装置について記載されている。
　引用例２記載のそれぞれのγ補正データは、図２に示されるように、それぞれ異なる画像処理パラメータが設定された階調変換テーブルといえ、何種類か用意されているγ補正データはそれぞれ画質モードに対応したものといえる。
　引用例２記載の事項と引用発明とは共通する画像処理の技術分野に属するものであるから、引用発明のそれぞれ異なる画像処理パラメータに基づいて画像処理を施す具体的な様態として、「それぞれ異なる画像処理パラメータが設定された画質モードに対応した階調変換テーブル」を用いることは、当業者が容易に想到し得ることといえる。
　
　一方、本願発明の奏する効果は、引用例１及び２に記載された発明から想定できる程度のものにすぎず、格別なものとは認められない。
　
　５　むすび
　以上のとおり、本願発明は、引用例１及び２に記載された発明に基づいて、当業者が容易に発明をすることができたものであるから、特許法２９条２項の規定により特許を受けることができない。
　したがって、本願は、他の請求項について検討するまでもなく拒絶すべきものである。
　よって、結論のとおり審決する。